(57)【要約】【課題】ヘッドライトカバーの外形状に合わせて、迅速に貼付けることが可能な、ヘッドライトカバー用シートを提供する。【解決手段】ヘッドライトカバーＨの立体形状を２次元平面に展開したヘッドライトカバー用シート１であって、シート本体を備え、シート本体１１は、ヘッドライトカバーＨの光軸調整用目印Ｑと略同位置に、貼付け用目印Ｐを有していることを特徴とする。【選択図】図１
2020102300.tif 000002
【特許請求の範囲】
【請求項１】
ヘッドライトカバーの立体形状を２次元平面に展開したヘッドライトカバー用シートであって、
シート本体を備え、
前記シート本体は、前記ヘッドライトカバーの光軸調整用目印と略同位置に、貼付け用目印を有していることを特徴とするヘッドライトカバー用シート。
【請求項２】
前記貼付け用目印は、貫通孔であることを特徴とする、請求項１に記載のヘッドライトカバー用シート。
【請求項３】
前記シート本体は、その周縁に連設する切り込み部を有していることを特徴とする、請求項１又は２に記載のヘッドライトカバー用シート。
【請求項４】
前記切り込み部には、前記シート本体の周縁に向かうに伴い漸次離間する一対の当接辺が形成されていることを特徴とする、請求項３に記載のヘッドライトカバー用シート。
【請求項５】
前記一対の当接辺の少なくとも何れか一方は、湾曲していることを特徴とする、請求項４に記載のヘッドライトカバー用シート。
【請求項６】
前記切り込み部を複数有していることを特徴とする、請求項３〜５の何れかに記載のヘッドライトカバー用シート。
【請求項７】
前記シート本体と別体に構成された補助シートを備え、
前記補助シートは、その周縁が、前記シート本体の周縁に当接可能に構成されていることを特徴とする、請求項１〜６の何れかに記載のヘッドライトカバー用シート。
【請求項８】
前記補助シートを複数備えていることを特徴とする、請求項７に記載のヘッドライトカバー用シート。
【請求項９】
基シートを備え、
前記シート本体又は前記補助シートの少なくとも何れか一方は、前記基シートに着脱可能に積層されていることを特徴とする、請求項７又は８に記載のヘッドライトカバー用シート。
【発明の詳細な説明】
【技術分野】
【０００１】
本発明は、ヘッドライトカバー用シートに係るものである。
【背景技術】
【０００２】
自動車のヘッドライトカバーは、長期にわたる使用により、その表面に、太陽光に含まれる紫外線等に起因した黄ばみや曇りが発生してしまう。
【０００３】
そして、表面に黄ばみや曇りが発生すると、自動車の外観が悪化するばかりか、ヘッドライトの光量不足の原因にもなってしまうという問題があった。
【０００４】
このような問題点を解決するために、特許文献１には、ヘッドライトカバーの黄ばみやくもりを除去して、ヘッドライトカバーの透明性を回復させることができるとともに、回復したヘッドライトカバーの透明性を長期間に渡って維持することができるヘッドライトカバー用シートが記載されている。
【先行技術文献】
【特許文献】
【０００５】
【特許文献１】特許第５９６１７２５号公報
【発明の概要】
【発明が解決しようとする課題】
【０００６】
しかしながら、特許文献１に記載のヘッドライトカバー用シートには、なおも以下の問題点が残されている。
即ち、ヘッドライトカバーの外形状に合わせて、迅速にシートを貼付けることが困難であるという問題である。
【０００７】
ヘッドライトカバーは、車種により形状が様々であるため、当然に、シートも様々な形状のものが製造されている。
そして、特に外形状が複雑なものや複数枚のシートから構成されるものについては、どの部分から貼付け始めたら良いか、見極めが困難であり、貼付けに時間を要するばかりか、外形状に沿った綺麗な貼付けを行えない可能性も高くなる。
【０００８】
本発明は上記のような実状に鑑みてなされたものであり、ヘッドライトカバーの外形状に合わせて、迅速に貼付けることが可能な、ヘッドライトカバー用シートを提供することを課題とする。
【課題を解決するための手段】
【０００９】
上記課題を解決するために、本発明は、
ヘッドライトカバーの立体形状を２次元平面に展開したヘッドライトカバー用シートであって、
シート本体を備え、
前記シート本体は、前記ヘッドライトカバーの光軸調整用目印と略同位置に、貼付け用目印を有していることを特徴とする。
【００１０】
本発明によれば、作業者は、ヘッドライトカバーの外形状に合わせて、ヘッドライトカバー用シートを迅速に貼付けることが可能となる。
即ち、作業者は、光軸調整用目印と貼付け用目印とを一致させ、この貼付け用目印を起点として、貼付け作業を行う。これにより、貼付け始める部位の見極めが不要となり、作業者は、自然とヘッドライトカバーの外形状に沿って、シートを貼付けることが可能となる。
【００１１】
本発明の好ましい形態では、前記貼付け用目印は、貫通孔であることを特徴とする。
【００１２】
このような構成とすることで、迅速な貼付け作業を可能にすると共に、貼付けた後、貫通孔から水や空気を抜くことができるため、施工性が大幅に向上する。
【００１３】
本発明の好ましい形態では、前記シート本体は、その周縁に連設する切り込み部を有していることを特徴とする。
【００１４】
このような構成とすることで、周縁に連設する切り込み部を有していることで、ヘッドライトカバーの曲面上での皺の発生を防止し、シート本体を綺麗に貼付けることが可能となる。
【００１５】
本発明の好ましい形態では、前記切り込み部には、前記シート本体の周縁に向かうに伴い漸次離間する一対の当接辺が形成されていることを特徴とする。
【００１６】
このような構成とすることで、シート本体を、ヘッドライトカバー上に均一な厚みで、かつ隙間をつくることなく貼付けることが可能となる。
【００１７】
本発明の好ましい形態では、前記当接辺は、湾曲していることを特徴とする。
【００１８】
このような構成とすることで、ヘッドライトカバーの複雑な曲面上での皺の発生を防止し、シート本体を綺麗に貼付けることが可能となる。
【００１９】
本発明の好ましい形態では、前記切り込み部を複数有していることを特徴とする。
【００２０】
このような構成とすることで、複雑な立体形状を有するヘッドライトカバーに対しても、シート本体を綺麗に貼付けることが可能となる。
【００２１】
本発明の好ましい形態では、前記シート本体と別体に構成された補助シートを備え、前記補助シートは、その周縁が、前記シート本体の周縁に当接可能に構成されていることを特徴とする。
【００２２】
このような構成とすることで、ヘッドライトカバーに対して、確実に全面を覆うようにして、シート本体及び補助シートを綺麗に貼付けることが可能となる。
【００２３】
本発明の好ましい形態では、前記補助シートを複数備えていることを特徴とする。
【００２４】
このような構成とすることで、様々な立体形状のヘッドライトカバーに対して、確実に全面を覆うようにして、シート本体及び補助シートを綺麗に貼付けることが可能となる。
【００２５】
本発明の好ましい形態では、基シートを備え、前記シート本体は、前記基シートに着脱可能に積層されていることを特徴とする。
【００２６】
このような構成とすることで、シート本体を、基シートから剥離させながら、ヘッドライトカバーに貼付けることができるため、シート本体の裏面への指紋や埃の付着を防止することが可能となる。
【００２７】
本発明の好ましい形態では、前記補助シートは、前記基シートに着脱可能に積層されていることを特徴とする。
【００２８】
このような構成とすることで、シート本体及び補助シートを、基シートから剥離させながら、ヘッドライトカバーに貼付けることができるため、シート本体及び補助シートの裏面への指紋や埃の付着を防止することが可能となる。
【発明の効果】
【００２９】
本発明によれば、ヘッドライトカバーの外形状に合わせて、迅速に貼付けることが可能な、ヘッドライトカバー用シートを提供することができる。
【図面の簡単な説明】
【００３０】
【図１】本発明の実施形態に係るヘッドライトカバー用シートを示す図であって、（ａ）表面図、（ｂ）ＸＸ′線部分拡大断面図である。
【図２】本発明の実施形態に係るヘッドライトカバー用シートの貼付け方法を説明するための図である。
【図３】本発明の実施形態に係るヘッドライトカバー用シートの使用例を示す図である。
【００３１】
以下、図１〜図３を用いて、本発明の実施形態に係るヘッドライトカバー用シートについて説明する。
なお、以下に示す実施形態は本発明の一例であり、本発明を以下の実施形態に限定するものではない。また、これらの図において、符号１は、本実施形態に係るヘッドライトカバー用シートを示す。
【００３２】
図１に示すように、ヘッドライトカバー用シート１は、ヘッドライトカバーＨ（図２、図３参照）の立体形状を２次元平面に展開したシートであり、基シートＢと、基シートＢに着脱可能に積層された１枚のシート本体１１と、基シートＢに着脱可能に積層された一枚の補助シート１２を備えている。
シート本体１１及び補助シート１２は、共に透明性を有し、シート本体１１は、その周縁に連設する切り込み部Ｎと、貼付け用目印Ｐと、を有している。
【００３３】
さらに詳述すれば、シート本体１１は、ヘッドライトカバーＨに貼付けた際、表面に露出する表層１１ａと、ヘッドライトカバーＨに当接し粘着する粘着層１１ｂと、により構成されている。
補助シート１２は、ヘッドライトカバーＨに貼付けた際、表面に露出する表層１２ａと、ヘッドライトカバーＨに当接し粘着する粘着層１２ｂと、により構成されている。
【００３４】
表層１１ａは、樹脂製のフィルムが好ましく、透明性を有していればその材質は特に限定されない。
表層１１ａの材質としては、例えば、塩化ビニル系樹脂組成物、ＰＥＴ等を含有するポリエステル系樹脂組成物、アクリル系樹脂組成物、ウレタン系樹脂組成物等が挙げられる。
【００３５】
粘着層１１ｂは、透明性を有し、ヘッドライトカバーＨに貼付けることができるものであれば特に限定されることなく、公知の粘着剤からなるものを用いることができる。
粘着層１１ｂに用いられる粘着剤としては、例えば、ゴム系粘着剤、アクリル系粘着剤等が挙げられる。
【００３６】
切り込み部Ｎには、シート本体１１の周縁に向かうに伴い漸次離間する一対の当接辺ｎが形成されている。また一対の当接辺ｎは、切っ先に向かうに伴い湾曲するように形成されている。
なお、切り込み部Ｎは、複数設けられていても良く、補助シート１２に設けられていても良い。切り込み部Ｎが複数設けられていることで、複雑な立体形状を有するヘッドライトカバーに対しても、シート本体を綺麗に貼付けることが可能となる。
【００３７】
貼付け用目印Ｐは、円形の貫通孔であり、ヘッドライトカバーＨの光軸調整用目印Ｑ（図２、図３参照）と略同位置に設けられている。
なお、貼付け用目印Ｐは、必ずしも円形である必要はなく、光軸調整用目印Ｑの形状に合わせて、三角形や四角形等あらゆる形状を採用し得る。また、貼付け用目印Ｐは、貫通孔の他、シート本体１１表面にシールを貼付ける、点や線等を描画する、といった方法で形成されても良い。
【００３８】
図２は、ヘッドライトカバー用シート１の貼付け方法を説明するための図である。
なお、図２において、ヘッドライトカバーの内部は、波線で示している。
【００３９】
図２に示すように、作業者は、シート本体１１を基シートＢから剥離させた後、光軸調整用目印Ｑとシート本体１１の貼付け用目印Ｐとを一致させ（矢印ａ）、シート本体１１をヘッドライトカバーＨに貼付ける。そして、作業者は、補助シート１２を基シートＢから剥離させた後、補助シート１２の周縁がシート本体１１の周縁に当接するように、補助シート１２をヘッドライトカバーＨに貼付ける。
【００４０】
図３は、ヘッドライトカバーＨの立体形状に沿って貼付けた際の概略斜視図である。
なお、図３において、ヘッドライトカバーＨ及びヘッドライトカバーＨを備える車体Ｗは、波線で示している。
【００４１】
図３に示すように、粘着層１１ｂがヘッドライトカバーＨの立体形状に沿って当接することで一対の当接辺ｎが当接する。また、補助シート１２の周縁がシート本体１１の周縁に当接させることで、ヘッドライトカバー用シート１が、隙間を形成することなく、ヘッドライトカバーＨに綺麗に貼付けられる。
【００４２】
本実施形態によれば、貼付け始める部位の見極めが不要となり、作業者は、自然とヘッドライトカバーＨの外形状に沿って、ヘッドライトカバー用シート１を貼付けることが可能となる。
【００４３】
また、貼付けた後、貼付け用目印Ｐから水や空気を抜くことができるため、施工性が大幅に向上する。
【００４４】
また、シート本体１１の周縁に連設する切り込み部Ｎを有していることで、ヘッドライトカバーＨの曲面上での皺の発生を防止し、シート本体１１を、ヘッドライトカバーＨに綺麗に貼付けることが可能となる。
【００４５】
また、切り込み部Ｎに、シート本体１１の周縁に向かうに伴い漸次離間する一対の当接辺ｎが形成されていることで、シート本体１１を、ヘッドライトカバーＨ上に均一な厚みで、かつ隙間をつくることなく貼付けることが可能となる。
【００４６】
また、一対の当接辺ｎが、湾曲していることで、ヘッドライトカバーＨの複雑な曲面上での皺の発生を防止し、シート本体１１を綺麗に貼付けることが可能となる。
【００４７】
また、シート本体１１と別体に構成された補助シート１２を三枚備え、各補助シート１２の周縁が、シート本体１１の周縁に当接可能に構成されていることで、立体形状のヘッドライトカバーＨに対して、確実に全面を覆うようにして、シート本体１１及び補助シート１２を綺麗に貼付けることが可能となる。
【００４８】
また、基シートＢを備え、シート本体１１及び補助シート１２が、基シートＢに着脱可能に積層されていることで、シート本体１１及び補助シート１２を、基シートＢから剥離させながら、ヘッドライトカバーＨ′に貼付けることができるため、シート本体１１及び補助シート１２の裏面への指紋や埃の付着を防止することが可能となる。
【００４９】
なお、上述の実施形態において示した各構成部材の諸形状や寸法等は一例であって、設計要求等に基づき種々変更可能である。
【００５０】
例えば、シート本体１１、補助シート１２の外形状は、対象のヘッドライトカバーの形状に応じて、当然に変更可能である。
また、補助シート１２の枚数は、一枚に限られず、何枚であっても良い。
また、シート本体１１、補助シート１２は、必ずしも二層構造である必要はなく、使用状況等に応じて、三層以上の多層構造としても良い。
また、シート本体１１のみでヘッドライトカバー用シート１を構成しても良い。
また、補助シート１２に貼付け用目印Ｐが設けられていても良い。
【産業上の利用可能性】
【００５１】
光軸調整用目印は、通常の車であれば設けられているものであるから、本発明は、様々な車のヘッドライトカバーに適用可能な汎用性があり、産業上の利用可能性が極めて高いものである。
【符号の説明】
【００５２】
１      ヘッドライトカバー用シート
１１    シート本体
１１ａ  表層
１１ｂ  粘着層
Ｎ      切り込み部
ｎ      当接辺
１２    補助シート
１２ａ  表層
１２ｂ  粘着層
Ｂ      基シート
Ｐ      貼付け用目印
Ｗ      車体
Ｈ      ヘッドライトカバー
Ｑ      光軸調整用目印
【図１】
2020102300.tif 000003
【図２】
2020102300.tif 000004
【図３】
2020102300.tif 000005